(57)【要約】【課題】ローコストで吸放湿性と通気性に優れた真綿を中材とする寝具を提供することを課題としている。【解決手段】表面側が家蚕の繭を原材料とする家蚕真綿４からなり、内側が野蚕の繭を原材料とする野蚕真綿６からなる中材３が側生地２の中に収容してなる寝具。野蚕真綿６を家蚕真綿４に内包させるように、家蚕真綿４を中材３における被覆材とし、野蚕真綿６を被覆材に被覆される中詰材とする。野蚕真綿６内に中芯７を収容させることもできる。【選択図】図１
2007215638.tif 000002
【特許請求の範囲】
【請求項１】
側生地（２）の中に中材（３）が収容され、該中材（３）が真綿からなる寝具において、中材（３）における表面側が家蚕の繭を原材料とする家蚕真綿（４）からなり、内側が野蚕の繭を原材料とする野蚕真綿（６）からなる寝具。
【請求項２】
家蚕真綿（４）を中材（３）における被覆材とし、野蚕真綿（６）を被覆材に被覆される中詰材とし、野蚕真綿（６）を家蚕真綿（４）に内包させた請求項１の寝具。
【請求項３】
野蚕真綿（６）内に中芯（７）を収容した請求項１又は２の寝具。
【発明の詳細な説明】
【技術分野】
【０００１】
本発明は、中材が真綿からなる寝具に関する。
【背景技術】
【０００２】
従来側生地の中に中材が収容され、該中材として真綿が使用されている寝具、例えば敷布団が公知となっている。
【特許文献１】特開2000-051014号公報
【発明の開示】
【発明が解決しようとする課題】
【０００３】
真綿を中材に使用することによって、シルク繊維の吸放湿性と通気性により、寝ている間に人がかいた汗を吸収すると共に円滑に放出することができるが、真綿はシルク繊維からなるため高価であるという欠点がある。
【課題を解決するための手段】
【０００４】
上記課題を解決するための本発明の寝具は、側生地２の中に中材３が収容され、該中材３が真綿からなる寝具において、中材３における表面側が家蚕の繭を原材料とする家蚕真綿４からなり、内側が野蚕の繭を原材料とする野蚕真綿６からなることを第１の特徴としている。
【０００５】
第２に、家蚕真綿４を中材３における被覆材とし、野蚕真綿６を被覆材に被覆される中詰材とし、野蚕真綿６を家蚕真綿４に内包させたことを特徴としている。
【０００６】
第３に、野蚕真綿６内に中芯７を収容したことを特徴としている。
【発明の効果】
【０００７】
以上のように構成される本発明の構造によると、家蚕真綿に比較して高吸放湿性で高通気性、且つ高圧縮弾性となる野蚕真綿が中材の内側に配されるため、寝具の嵩を強く保ち、寝具に高い弾力性を持たせることができる。またシルク繊維の吸放湿性と通気性によって、寝ている間に人がかいた汗を吸収すると共に円滑に放出することができ、特に水分が溜まりやすい布団の中材の内側部分が、より吸放湿性と通気性が高い野蚕真綿からなるため、布団の中心部分に溜まる水分を容易に放出することができる。
【０００８】
そして野蚕真綿の外側となる中材の表面側に家蚕真綿が配置されるため、寝具の表面は、側生地を介してごわごわ感の少ない柔らかな肌触りとなる。なお野蚕の繭から産生されるシルクは、家蚕の繭から産生されるシルクに比較して安価であるため、本寝具の生産コストを抑えることができる。
【０００９】
一方家蚕真綿を中材における被覆材とし、野蚕真綿を被覆材に被覆される中詰材として、野蚕真綿を家蚕真綿に内包させることによって、野蚕真綿の飛び出しが防止され、中材の構造崩れを防止することができる。なお野蚕真綿内に中芯を収容することによって、全体の型崩れを防止することができる。
【発明を実施するための最良の形態】
【００１０】
図１は本発明を採用した寝具である布団１の断面イメージ図である。該布団１は、側生地２の中に真綿からなる中材３が収容された構造となっている。前記真綿は、家蚕の繭を原材料とする家蚕真綿と、野蚕の繭を原材料とする野蚕真綿とからなる。
【００１１】
中材３における被覆材として家蚕真綿４が、中詰材としての野蚕真綿６を被覆している。これにより図２に示されるように、野蚕真綿６と家蚕真綿４とは、表面側が家蚕真綿４となり、内側が野蚕真綿４となるように積層された状態で、野蚕真綿６が家蚕真綿４に内包されている。
【００１２】
図３に示されるように、野蚕の繭から産生されるシルク繊維Ｓ１は、多数の小孔７を有する多孔質繊維である。野蚕の繭から産生されるシルク繊維Ｓ１は、家蚕の繭から産生されたシルク繊維に比較して太い。
【００１３】
図４に示されるように、一方家蚕の繭から産生されるシルク繊維Ｓ２は、上記小孔７はない。家蚕の繭から産生されるシルク繊維Ｓ２は、野蚕の繭から産生されたシルク繊維Ｓ１に比較して細く、且つ繊維質が長い。
【００１４】
このため野蚕真綿６は、比較的太く短い多孔質なシルク繊維からなり、家蚕真綿４は、比較的細く長い上記小孔のないシルク繊維からなる。シルクは天然素材であり一般的に吸放湿性や透湿性（通気性）が高いことが知られている。またごわごわ感のない柔らかな肌触りを持つことも知られている。
【００１５】
特に家蚕の繭から産生されるシルク繊維Ｓ２は、上記のように野蚕の繭から産生されるシルク繊維Ｓ１に比べて繊維が長く細い。このため家蚕の繭から産生されるシルク繊維Ｓ２は、野蚕の繭から産生されるシルク繊維Ｓ１に比較して、ごわごわ感の少ない柔らかな肌触りという性質が強い。
【００１６】
従って家蚕の繭から産生されるシルク繊維よりなる家蚕真綿４は、ごわごわ感の少ない柔らかな肌触りを持つ。そして家蚕真綿４は、シルク繊維自体が多孔質ではないため密であり、内包する野蚕真綿６の飛び出しが防止される。
【００１７】
一方野蚕の繭から産生されるシルク繊維は、上記のように家蚕の繭から産出されるシルク繊維に比べて繊維が太く短い。このため野蚕の繭から産生されるシルク繊維よりなる野蚕真綿６は、そもそも多孔質なシルク繊維からなることに加え、繊維同士が絡み付いている状態での繊維間の空間が、上記家蚕真綿４に比べて大きく、家蚕真綿４に比較して高吸放湿性で高通気性、且つ高圧縮弾性となる。
【００１８】
このため布団１の嵩が中材の中心に配される野蚕真綿６によって強く保たれ、布団１に高い弾力性を持たせることができる。またシルク繊維の吸放湿性と通気性によって、寝ている間に人がかいた汗を吸収すると共に円滑に放出する。特に水分が溜まりやすい布団１の中心部分が、より吸放湿性と通気性が高い野蚕真綿６からなるため、布団の中心部分に溜まる水分を容易に放出することができる。
【００１９】
そして野蚕真綿６は家蚕真綿４にくるまれているため、布団の表面は、布団の側生地を介してごわごわ感の少ない柔らかな肌触りとなる。前述のように家蚕真綿４によって野蚕真綿６の飛び出しが防止されるため、中材の構造崩れも防止される。なお野蚕の繭から産生されるシルクは、加算の繭から産生されるシルクに比較して安価であるため、本真綿布団の生産コストを抑えることができる。
【００２０】
本発明を図５に示されるように枕に採用することもできる。本枕は、図５に示されるように、ポリウレタンからなる中芯７を野蚕真綿６内に内包させ、この野蚕真綿６を家蚕真綿４内に内包させ、外側を側生地８で覆って構成される。前述の布団１と同様の効果を持つ。加えて中芯７が設けられており、型崩れの防止効果が高い。なお布団１の中材に中芯を設けるようにしてもよい。
【００２１】
本実施形態では布団と枕を例に説明したが、他の寝具に採用することも可能である。
【図面の簡単な説明】
【００２２】
【図１】本発明を採用した布団の全体断面イメージ図である。
【図２】布団の要部断面図である。
【図３】野蚕の繭から産出されるシルク繊維の拡大断面図である。
【図４】家蚕の繭から産出されるシルク繊維の拡大断面図である。
【図５】本発明を採用した枕の全体断面イメージ図である。
【符号の説明】
【００２３】
２  側生地
３  中材
４  家蚕真綿
６  野蚕真綿
７  中芯
【図１】
2007215638.tif 000003
【図５】
2007215638.tif 000004
【図２】
2007215638.tif 000005
【図３】
2007215638.tif 000006
【図４】
2007215638.tif 000007